【事件の表示】
　特願２０１５−　５６５４７「遊技機」拒絶査定不服審判事件〔平成２７年　６月１８日出願公開、特開２０１５−１１０１１６〕について、次のとおり審決する。
【結　論】
　本件審判の請求は、成り立たない。
【理　由】
第１　手続の経緯
　本願は、平成２４年５月１４日に出願した特願２０１２−１１１０２３号の一部を平成２７年３月１９日に新たな特許出願（特願２０１５−５６５４７号）としたものであって、平成２８年３月２日付けで拒絶の理由が通知され、平成２８年５月１２日に意見書及び手続補正書が提出されたところ、平成２８年１１月２日付けで拒絶査定がなされ、それに対して、平成２９年１月２４日に拒絶査定不服審判の請求がなされると同時に特許請求の範囲及び明細書に係る手続補正がなされ、これに対し、当審において、平成２９年７月１９日付けで拒絶の理由が通知され、平成２９年９月２１日に意見書及び手続補正書が提出され、平成２９年１０月２６日付けで最後の拒絶の理由が通知され、平成２９年１２月２１日に意見書及び手続補正書が提出されたものである。
第２　平成２９年１２月２１日付けの手続補正についての補正却下の決定
［補正却下の決定の結論］
　平成２９年１２月２１日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２９年９月２１日付けの手続補正書における、
「【請求項１】
　特別図柄に対応した可変表示を行う遊技機であって、
　所定条件を満たしたことに関連して大入賞口を遊技媒体が入賞しやすい状態に制御する大入賞口制御手段と、
　未だ開始されていない可変表示が前記所定条件を満たすか否かを判定する判定手段と、
　前記大入賞口が遊技媒体が入賞しやすい状態に制御されるか否かを示唆する所定演出を可変表示中に実行する所定演出実行手段と、
　前記判定手段による判定にもとづいて、判定の対象となった可変表示が実行される前に、前記所定演出とは異なる予告演出を実行する予告演出実行手段とを備え、
　前記予告演出が実行されたときは、前記予告演出が実行されないときに比べて、前記所定演出が実行される割合が高く、前記所定演出が実行されない場合にも前記予告演出を実行可能であり、
　前記大入賞口が遊技媒体が入賞しやすい状態に制御されないことを示唆する前記所定演出を実行した後に前記大入賞口が遊技媒体が入賞しやすい状態に制御されることを示唆する前記所定演出を実行可能である、
　ことを特徴とする遊技機。」
から、平成２９年１２月２１日付けの手続補正書における、
「【請求項１】
Ａ　特別図柄に対応した可変表示を行う遊技機であって、
Ｂ　所定条件を満たしたことに関連して大入賞口を遊技媒体が入賞しやすい状態に制御する大入賞口制御手段と、
Ｃ　未だ開始されていない可変表示が前記所定条件を満たすか否かを判定する判定手段と、
Ｄ　前記大入賞口が遊技媒体が入賞しやすい状態に制御されるか否かを示唆
し、可変表示の表示結果を導出する過程における態様とは異なる演出である
Ｅ　前記判定手段による判定にもとづいて、判定の対象となった可変表示が実行される前に、前記所定演出とは異なる予告演出を実行する予告演出実行手段とを備え、
Ｆ　前記予告演出が実行されたときは、前記予告演出が実行されないときに比べて、前記所定演出が実行される割合が高く、前記所定演出が実行されない場合にも前記予告演出を実行可能であり、
Ｇ　前記大入賞口が遊技媒体が入賞しやすい状態に制御されないことを示唆する前記所定演出を実行した後に前記大入賞口が遊技媒体が入賞しやすい状態に制御されることを示唆する前記所定演出を実行可能である、
　ことを特徴とする遊技機。」
に補正された（下線部は補正箇所を示す。また、Ａ〜Ｇは、分説するために当審にて付した。）。
２　補正の適否
　本件補正は、補正前の請求項１に記載した発明を特定するために必要な事項である「所定演出」に関して、「可変表示の表示結果を導出する過程における態様とは異なる演出である」点を限定したものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
（２−１）刊行物１に記載された発明
　平成２９年１０月２６日付け拒絶理由通知に刊行物１として引用され、本願の出願遡及日前に頒布された刊行物である特開２０１１−１０３９６８号公報（以下「刊行物１」という。）には、図面とともに以下の事項が記載されている（下線は当審で付した。以下同じ。）。 
（１−ａ）　「【００２３】
　〔第１実施形態〕
　まず、遊技機の一例である
パチンコ遊技機１
（１−ｂ）　「【００２７】
　遊技盤６における下部の左側には、
各々が識別可能な複数種類の識別情報としての第１特別図柄を変動表示する第１特別図柄表示器（第１変動表示部）８ａ
（１−ｃ）　「【００３０】
　
遊技球が第１始動入賞口１３に入賞することにより、始動条件のうち第１始動条件が成立し、
第１特別図柄または第２特別図柄の変動表示は、第１始動条件または第２始動条件が成立した後、変動表示の開始を許容する開始条件
が成立したことに基づいて開始され、
（１−ｄ）　「【００４１】
　
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を複数の図柄表示エリア９Ｌ、９Ｃ、９Ｒ各々において行なう。第１特別図柄表示器８ａにおける第１特別図柄の変動表示と、演出表示装置９における演出図柄の変動表示とは同期している。
（１−ｅ）　「【００４５】
　また、図１に示すように、可変入賞球装置１５の下方には、特別可変入賞球装置２０が設けられている。
特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。
（１−ｆ）　「【００５５】
　図２は、主基板（遊技制御基板）３１における回路構成の一例を示すブロック図である。なお、図２は、払出制御基板３７および演出制御基板８０等も示されている。
主基板３１には、プログラムにしたがってパチンコ遊技機１を制御する遊技制御用マイクロコンピュータ（遊技制御手段に相当）５６０が搭載されている。遊技制御用マイクロコンピュータ５６０は、
ＣＰＵ５６およびＩ／Ｏポート部５７を含む。
（１−ｇ）　「【００５９】
　また、ゲートスイッチ３２ａ、第１始動口スイッチ１３ａ、第２始動口スイッチ１４ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および
大入賞口を形成する特別可変入賞球装置２０を開閉するソレノイド２１を遊技制御用マイクロコンピュータ５６０からの指令にしたがって駆動する出力回路５９も主基板３１に搭載されている。
（１−ｈ）　「【０１０８】
　
演出図柄の変動表示が開始されてから「左」、「中」、「右」の各図柄表示エリア９Ｌ、９Ｃ、９Ｒにおいて停止図柄が導出表示されるまでの期間（変動表示期間＝変動時間）で、演出図柄の変動表示状態が所定のリーチ状態となることがある。
リーチ状態における表示演出が、リーチ演出表示（リーチ演出）である。リーチ演出には、後述するように、実行された変動表示において大当りとなる信頼度が低く設定されたノーマルリーチ演出と、当該ノーマルリーチ演出よりも信頼度が高く設定されたスーパーリーチ演出とを含む。
（１−ｉ）　「【０１３５】
　図７（Ｃ）は、変動パターン種別の判定を行なうときに用いる変動パターン種別判定テーブルを示す図である。変動パターン種別とは、リーチの種類等の変動パターンを大分類（種別）した区分をいう。
変動パターン種別としては、たとえば、リーチ演出が実行されない非リーチ、ノーマルリーチ演出が実行されるノーマルリーチ、スーパーリーチ演出が実行されるスーパーリーチが設けられている。
（１−ｊ）　「【０１７６】
　
演出制御用マイクロコンピュータ１００では、当該始動入賞指定コマンドに基づき、保留表示するための処理、先読み演出を実行するか否かを判定するための処理などを行なう。先読み演出とは、先読み判定結果に関する情報を、当該始動入賞に起因する変動表示開始前の段階から、複数回の変動表示に亘り連続して予告報知する演出をいい
（１−ｋ）　「【０１８９】
　
図１１は、Ｓ３０１の始動口スイッチ通過処理を示すフローチャートである。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（Ｓ２１１）。
・・・
【０１９１】
　この実施の形態では、
第１始動口スイッチ１３ａがオン状態となった場合（すなわち、第１始動入賞口１３に遊技球が始動入賞した場合）
・・・
【０１９８】
　
先読み大当りフラグがセットされていないときには、後述する第１先読み処理を行ない（Ｓ２１８）、Ｓ２１９に移行する。
【０１９９】
　
Ｓ２１９においては、第１先読み処理における先読み判定結果に応じた第１始動入賞指定コマンドをセットする。
（１−ｌ）　「【０２０６】
　
図１２は、Ｓ２１８の第１先読み処理を示すフローチャートである。
先読み処理での大当り判定においては、
（１−ｍ）　「【０２３５】
　次に、
演出制御手段の動作を説明する。図１７は、演出制御基板８０に搭載されている演出制御手段としての演出制御用マイクロコンピュータ１００（具体的には、演出制御用ＣＰＵ１０１）が実行するメイン処理を示すフローチャートである。
【０２３６】
　演出制御処理において、演出制御用ＣＰＵ１０１は、まず、受信した演出制御コマンドを解析し、受信した演出制御コマンドに応じたフラグをセットする処理等をするコマンド解析処理を行なう（Ｓ５５４）。次いで、演出制御用ＣＰＵ１０１は、合算保留記憶表示部１８ｃの表示状態の制御を行なう保留記憶表示制御処理を実行する（Ｓ５５５）。前述した先読み演出は、保留記憶表示制御処理により、合算保留記憶表示部１８ｃにおいて行なわれる。また、
演出制御用ＣＰＵ１０１は、演出制御プロセス処理を行なう（Ｓ５５６）。演出制御プロセス処理では、制御状態に応じた各プロセスのうち、現在の制御状態（演出制御プロセスフラグ）に対応した処理を選択して演出表示装置９の表示制御を実行する。
（１−ｎ）　「【０２７７】
　図２２は、図２１のＳ６６６において先読み演出を実行するか否かを決定するために用いる先読み演出決定テーブルを説明するための図である。先読み演出決定テーブルは、演出制御基板側のＲＯＭに記憶されている。先読み演出決定テーブルは、受信した始動入賞指定コマンドから特定される先読み判定結果、および現在の保留記憶数に応じて、図２２に示す確率となるように、先読み演出の実行を決定するための判定値が定められている。
【０２７８】
　
先読み演出を実行するか否かは、大当り時であるときには、大当り種別および変動パターン種別の組合せ毎に定められた振分率に従って決定される。
【０２７９】
　図２２（Ａ）は、大当り時に参照される大当り時先読み演出決定テーブルを説明するための図である。
先読み演出実行確率は、第１特別図柄側において大当りとなるときであって、確変当り＋ノーマルリーチであるときには「８０％」、確変当り＋スーパーリーチであるときには「７０％」、通常当り＋ノーマルリーチであるときには「７５％」、通常当り＋スーパーリーチであるときには「６０％」、突確当り＋ノーマルリーチであるときには「８０％」に設定されている。
【０２８０】
　また、第２特別図柄側において大当りとなるときの先読み演出実行確率は、第１特別図柄側で説明した確率と同じ確率に設定されている。なお、大当りとなるときの先読み演出実行確率は、第１特別図柄側と第２特別図柄側とで異ならせてもよい。
【０２８１】
　図２２（Ｂ）は、はずれ時に参照されるはずれ時先読み演出決定テーブルを説明するための図である。
先読み演出実行確率は、はずれかつ現在（先読み時）の保留記憶数（未変動の保留記憶数）が２以下である場合、ノーマルリーチであるときには「２５％」、スーパーリーチであるときには「３０％」に設定されている。また、はずれかつ現在の保留記憶数が３以上である場合、ノーマルリーチであるときには「３０％」、スーパーリーチであるときには「４０％」に設定されている。
　上記（１−ａ）〜（１−ｎ）の記載事項及び図面から、以下（１−ｏ）〜（１−ｔ）の事項が導かれる。
（１−ｏ）段落【００２７】には「各々が識別可能な複数種類の識別情報としての第１特別図柄を変動表示する第１特別図柄表示器（第１変動表示部）８ａ」と記載されており、第１特別図柄の変動表示に関して、段落【００３０】には、「遊技球が第１始動入賞口１３に入賞することにより、始動条件のうち第１始動条件が成立し、・・・第１特別図柄または第２特別図柄の変動表示は、第１始動条件または第２始動条件が成立した後、変動表示の開始を許容する開始条件・・・が成立したことに基づいて開始され、」と記載されているから、刊行物１には、遊技球が第１始動口１３に入賞し、変動表示の開始を許容する開始条件が成立したことに基づいて第１特別図柄表示器８ａにおいて第１特別図柄を変動表示する点が記載されているといえる。
　また、段落【００４１】には、「演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を複数の図柄表示エリア９Ｌ、９Ｃ、９Ｒ各々において行なう。第１特別図柄表示器８ａにおける第１特別図柄の変動表示と、演出表示装置９における演出図柄の変動表示とは同期している。」と記載されているから、刊行物１には、第１特別図柄の変動表示と同期して、演出表示装置９により演出図柄の変動表示を行う点が記載されているといえる。
　以上より、刊行物１には、
遊技球が第１始動口１３に入賞し、変動表示の開始を許容する開始条件が成立したことに基づいて第１特別図柄表示器８ａにおいて第１特別図柄を変動表示し、第１特別図柄の変動表示と同期して、演出表示装置９により演出図柄の変動表示を行う
（１−ｐ）段落【００４５】には、「特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。」と記載されているから、刊行物１には、第１特別図柄表示器８ａに大当り図柄が導出表示されたときに、特別可変入賞球装置２０を開放状態に制御する点が記載されているといえる。
　また、段落【００５９】には、「大入賞口を形成する特別可変入賞球装置２０を開閉するソレノイド２１を遊技制御用マイクロコンピュータ５６０からの指令にしたがって駆動する出力回路５９も主基板３１に搭載されている。」と記載されているから、主基板３１が特別可変入賞球装置２０を開放状態に制御する機能を有していることは、明らかである。
　以上より、刊行物１には、
第１特別図柄表示器８ａに大当り図柄が導出表示されたときに、特別可変入賞球装置２０を開放状態に制御する主基板３１の機能
（１−ｑ）刊行物１には、「図１１は、Ｓ３０１の始動口スイッチ通過処理を示すフローチャートである。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（Ｓ２１１）。」（段落【０１８９】）、「第１始動口スイッチ１３ａがオン状態となった場合（すなわち、第１始動入賞口１３に遊技球が始動入賞した場合）」（段落【０１９１】）、「先読み大当りフラグがセットされていないときには、後述する第１先読み処理を行ない（Ｓ２１８）、Ｓ２１９に移行する。」（段落【０１９８】）、「Ｓ２１９においては、第１先読み処理における先読み判定結果に応じた第１始動入賞指定コマンドをセットする。」（段落【０１９９】）と記載されているから、刊行物１には、ＣＰＵ５６は、第１始動口１３に遊技球が始動入賞した場合、先読み処理を行い、第１始動入賞指定コマンドをセットする点が記載されているといえる。
　また、段落【００５５】には、「主基板３１には、プログラムにしたがってパチンコ遊技機１を制御する遊技制御用マイクロコンピュータ（遊技制御手段に相当）５６０が搭載されている。遊技制御用マイクロコンピュータ５６０は、・・・ＣＰＵ５６およびＩ／Ｏポート部５７を含む。」と記載されているから、第１始動口１３に遊技球が始動入賞した場合、先読み処理を行い、第１始動入賞指定コマンドをセットする機能は、主基板３１が有しているといえる。
　また、段落【０２０６】には「図１２は、Ｓ２１８の第１先読み処理を示すフローチャートである。・・・先読み処理での大当り判定においては、」と記載されているから、先読み処理において大当り判定を行うといえる。
　以上より、刊行物１には、
第１始動口１３に遊技球が始動入賞した場合、先読み処理において大当り判定を行い、第１始動入賞指定コマンドをセットする主基板３１の機能
（１−ｒ）段落【０１０８】には、「演出図柄の変動表示が開始されてから「左」、「中」、「右」の各図柄表示エリア９Ｌ、９Ｃ、９Ｒにおいて停止図柄が導出表示されるまでの期間（変動表示期間＝変動時間）で、演出図柄の変動表示状態が所定のリーチ状態となることがある。・・・リーチ状態における表示演出が、リーチ演出表示（リーチ演出）である。リーチ演出には、後述するように、実行された変動表示において大当りとなる信頼度が低く設定されたノーマルリーチ演出と、当該ノーマルリーチ演出よりも信頼度が高く設定されたスーパーリーチ演出とを含む。」と記載されているから、刊行物１には、演出図柄の変動表示期間に、演出図柄の変動表示状態が所定のリーチ状態となると、大当りとなる信頼度が高いスーパーリーチ演出を実行する点が記載されているといえる。
　また、段落【００４１】には、「演出表示装置９は、・・・装飾用（演出用）の図柄としての演出図柄の変動表示を複数の図柄表示エリア９Ｌ、９Ｃ、９Ｒ各々において行なう。」と記載されているから、演出図柄の変動表示は演出表示装置９によって行われるものであるといえ、さらに、演出図柄の変動表示の際に行われるスーパーリーチ演出も演出表示装置９によって行われることは明らかであるから、刊行物１には、演出表示装置９による演出図柄の変動表示期間に、大当りとなる信頼度が高いスーパーリーチ演出を実行する点が記載されているといえる。
　さらに、刊行物１には、「演出制御手段の動作を説明する。図１７は、演出制御基板８０に搭載されている演出制御手段としての演出制御用マイクロコンピュータ１００（具体的には、演出制御用ＣＰＵ１０１）が実行するメイン処理を示すフローチャートである。」（段落【０２３５】）、「演出制御用ＣＰＵ１０１は、演出制御プロセス処理を行なう（Ｓ５５６）。演出制御プロセス処理では、制御状態に応じた各プロセスのうち、現在の制御状態（演出制御プロセスフラグ）に対応した処理を選択して演出表示装置９の表示制御を実行する。」（段落【０２３６】）と記載されているから、演出表示装置９の表示制御を実行する機能は、演出制御基板８０が有しているといえる。
　以上より、刊行物１には、
演出表示装置９による演出図柄の変動表示期間に、大当りとなる信頼度が高いスーパーリーチ演出を実行する演出制御基板８０の機能
（１−ｓ）段落【０１７６】には、「演出制御用マイクロコンピュータ１００では、当該始動入賞指定コマンドに基づき、保留表示するための処理、先読み演出を実行するか否かを判定するための処理などを行なう。先読み演出とは、先読み判定結果に関する情報を、当該始動入賞に起因する変動表示開始前の段階から、複数回の変動表示に亘り連続して予告報知する演出をいい」と記載されており、段落【０２３５】には「演出制御基板８０に搭載されている演出制御手段としての演出制御用マイクロコンピュータ１００（具体的には、演出制御用ＣＰＵ１０１）」と記載されているから、刊行物１には、演出制御基板８０は、始動入賞指定コマンドにもとづいて、当該始動入賞に起因する変動表示開始前の段階から、複数回の変動表示に亘り連続して予告報知する先読み演出を実行するか否かを決定する点が記載されているといえる。
　また、上記段落【０１７６】に記載の「始動入賞指定コマンド」が、段落【０１９９】の「Ｓ２１９においては、第１先読み処理における先読み判定結果に応じた第１始動入賞指定コマンドをセットする。」との記載における「第１始動入賞指定コマンド」を含むことは明らかである。
　さらに、上記認定事項（１−ｒ）にて示した通り、演出表示装置９の表示制御を実行する機能は、演出制御基板８０が有しているといえるから、演出制御基板８０が先読み演出を実行する機能を有することは、明らかである。
　以上より、刊行物１には、
第１始動入賞指定コマンドにもとづいて、当該始動入賞に起因する変動表示開始前の段階から、複数回の変動表示に亘り連続して予告報知する先読み演出を実行するか否かを決定し、先読み演出を実行する演出制御基板８０の機能
（１−ｔ）刊行物１には、「先読み演出を実行するか否かは、大当り時であるときには、大当り種別および変動パターン種別の組合せ毎に定められた振分率に従って決定される。」（段落【０２７８】）、「先読み演出実行確率は、第１特別図柄側において大当りとなるときであって、確変当り＋ノーマルリーチであるときには「８０％」、確変当り＋スーパーリーチであるときには「７０％」、通常当り＋ノーマルリーチであるときには「７５％」、通常当り＋スーパーリーチであるときには「６０％」、突確当り＋ノーマルリーチであるときには「８０％」に設定されている。」（段落【０２７９】）、「先読み演出実行確率は、はずれかつ現在（先読み時）の保留記憶数（未変動の保留記憶数）が２以下である場合、ノーマルリーチであるときには「２５％」、スーパーリーチであるときには「３０％」に設定されている。また、はずれかつ現在の保留記憶数が３以上である場合、ノーマルリーチであるときには「３０％」、スーパーリーチであるときには「４０％」に設定されている。」（段落【０２８１】）と記載されているから、刊行物１には、先読み演出は、ノーマルリーチまたはスーパーリーチとなるときに所定の振分率で実行され、また、ノーマルリーチとなるものであってスーパーリーチとならない場合にも、先読み演出が実行されることがある点が記載されているといえる。
　また、段落【０１３５】には「変動パターン種別としては、たとえば、リーチ演出が実行されない非リーチ、ノーマルリーチ演出が実行されるノーマルリーチ、スーパーリーチ演出が実行されるスーパーリーチが設けられている。」と記載されており、段落【０２７９】及び【０２８１】の上記記載においては、「非リーチ」となるときの先読み演出実行確率については記載されていないから、先読み演出は、非リーチとなるときには実行されないことは明らかである。
　以上より、刊行物１には、
先読み演出は、ノーマルリーチまたはスーパーリーチとなるときのみ所定の振分率で実行され、非リーチとなるときには実行されず、また、ノーマルリーチとなるものであってスーパーリーチとならない場合にも、先読み演出が実行されることがある
　上記（１−ａ）〜（１−ｎ）の記載事項及び（１−ｏ）〜（１−ｔ）の認定事項を総合すると、刊行物１には、次の発明（以下「刊行物１発明」という。）が記載されていると認められる。（ａ〜ｆは、本願補正発明のＡ〜Ｆに対応させて付した。）
「ａ　遊技球が第１始動口１３に入賞し、変動表示の開始を許容する開始条件が成立したことに基づいて第１特別図柄表示器８ａにおいて第１特別図柄を変動表示し、第１特別図柄の変動表示と同期して、演出表示装置９により演出図柄の変動表示を行うパチンコ遊技機１であって、（段落【００２３】、認定事項（１−ｏ））
ｂ　第１特別図柄表示器８ａに大当り図柄が導出表示されたときに、特別可変入賞球装置２０を開放状態に制御する主基板３１の機能と、（認定事項（１−ｐ））
ｃ　第１始動口１３に遊技球が始動入賞した場合、先読み処理において大当り判定を行い、第１始動入賞指定コマンドをセットする主基板３１の機能と、（認定事項（１−ｑ））
ｄ　演出表示装置９による演出図柄の変動表示期間に、大当りとなる信頼度が高いスーパーリーチ演出を実行する演出制御基板８０の機能と、（認定事項（１−ｒ））
ｅ　第１始動入賞指定コマンドにもとづいて、当該始動入賞に起因する変動表示開始前の段階から、複数回の変動表示に亘り連続して予告報知する先読み演出を実行するか否かを決定し、先読み演出を実行する演出制御基板８０の機能とを備え、（認定事項（１−ｓ））
ｆ　先読み演出は、ノーマルリーチまたはスーパーリーチとなるときのみ所定の振分率で実行され、非リーチとなるときには実行されず、また、ノーマルリーチとなるものであってスーパーリーチとならない場合にも、先読み演出が実行されることがある（認定事項（１−ｔ））
　パチンコ遊技機１。」
（２−２）刊行物２に記載された事項
　平成２９年１０月２６日付け拒絶理由通知に刊行物２として引用され、本願の出願遡及日前に頒布された刊行物である特開２０１１−２１８０４５号公報（以下「刊行物２」という。）には、図面とともに以下の事項が記載されている（下線は当審で付した。以下同じ。）。
（２−ａ）　「【００１９】
  [第１実施形態]
　まず、遊技機の一例であるパチンコ遊技機１の全体の構成について説明する。図１は
パチンコ遊技機１
（２−ｂ）　「【００５４】
　また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたとき、および第２特別図柄表示器８ｂに特定表示結果（大当り図柄）が導出表示されたときに生起する
特定遊技状態（大当り遊技状態）においてソレノイド２１によって開閉板が開放状態に制御されることによって、入賞領域となる大入賞口が開放状態になる。
（２−ｃ）　「【０２２９】
　次に、図１６〜図２４を用いて第１スーパーリーチ〜第４スーパーリーチの演出の具体例を説明する。
図１６は、第１スーパーリーチの演出の具体例を示す演出表示装置９の表示画面図である。図１７および図１８は、第２スーパーリーチの演出の具体例を示す演出表示装置９の表示画面図である。
【０２３０】
　
まず、図１６を参照して、第１スーパーリーチを説明する。
左図柄停止エリアでの左演出図柄９１と、右図柄停止エリアでの右演出図柄９３とが同じ図柄で停止し、中図柄停止エリアでの中演出図柄９２が変動中であるリーチ状態が発生した後、
第１キャラクタ７１と第２キャラクタ７２とが武器を持って対戦する画像を表示する第１演出態様での演出が行なわれる。その後、（Ｅ）のようなはずれ表示結果、または、（Ｇ）のような大当り表示結果が導出表示される。
【０２３１】
　図１６において、リーチ状態の発生直後、（Ｂ）に示すように、武器を持った第１キャラクタ７１と第２キャラクタ７２とが登場し、これらキャラクタが武器を持って対戦する第１演出態様での演出が開始される。
そして、（Ｅ）のようなはずれ表示結果となるときには、（Ｃ），（Ｄ）に示すように第１キャラクタ７１が敗北する画像が表示された後、表示結果が導出表示され、第１演出態様での演出が終了される。このような（Ｃ），（Ｄ）の画像は、大当り遊技状態に制御されないことを認識させる演出をするための画像であり、このような画像が表示されたときに、遊技者は、表示結果がはずれとなると認識することができる。一方、（Ｇ）のような大当り表示結果となるときには、（Ｆ）に示すように第１キャラクタ７１が勝利する第１演出態様での画像が表示された後、表示結果が導出表示され、第１演出態様での演出が終了される。このような（Ｆ）の画像は、大当り遊技状態に制御されることを認識させる演出をするための画像であり、このような画像が表示されたときに、遊技者は、表示結果が大当りとなると認識することができる。
【０２３２】
　
次に、図１７および図１８を参照して、第２スーパーリーチを説明する。第２スーパーリーチにおいては、（Ａ）に示すようなリーチ状態が発生した後、（Ｂ）〜（Ｄ）に示すような第１キャラクタ７１と第２キャラクタ７２とが武器を持って対戦する画像を表示する第１演出態様での演出が行なわれる。第２スーパーリーチでは、第１演出態様での演出において、表示結果がはずれとなると認識されるような（Ｄ）の画像が表示される。
第１キャラクタ７１と第２キャラクタ７２とが武器を持ってさらに対戦する画像を表示する第３演出態様での演出が行なわれる。
【０２３３】
　このように、第１演出態様での演出が行なわれた後、第３演出態様での演出が行なわれると、第１キャラクタ７１が第１演出態様よりも強力な武器を持って戦うこととなり、演出態様の移行に基づいてキャラクタが対戦する演出内容が発展するような第１発展演出が行なわれる。
【０２３４】
　図１７および図１８において、（Ｈ）に示すように、第１キャラクタ７１が新たな武器を持って復活し、再度第１キャラクタ７１と第２キャラクタ７２とが対戦をする第３演出態様での演出が開始される。
そして、（Ｋ）のようなはずれ表示結果となるときには、（Ｉ），（Ｊ）に示すように第１キャラクタ７１が敗北する画像が表示された後、表示結果が導出表示され、第３演出態様での演出が終了される。このような（Ｉ），（Ｊ）の画像は、大当り遊技状態に制御されないことを認識させる演出をするための画像であり、このような画像が表示されたときに、遊技者は、表示結果がはずれとなると認識することができる。一方、（Ｍ）のような大当り表示結果となるときには、（Ｌ）に示すように第１キャラクタ７１が勝利する第３演出態様での画像が表示された後、表示結果が導出表示され、第３演出態様での演出が終了される。このような（Ｌ）の画像は、大当り遊技状態に制御されることを認識させる演出をするための画像であり、このような画像が表示されたときに、遊技者は、表示結果が大当りとなると認識することができる。
　上記（２−ａ）〜（２−ｃ）の記載事項及び図面から、以下（２−ｄ）〜（２−ｆ）の事項が導かれる。
（２−ｄ）刊行物２には、「まず、図１６を参照して、第１スーパーリーチを説明する。・・・第１キャラクタ７１と第２キャラクタ７２とが武器を持って対戦する画像を表示する第１演出態様での演出が行なわれる。その後、（Ｅ）のようなはずれ表示結果、または、（Ｇ）のような大当り表示結果が導出表示される。」（段落【０２３０】）、「そして、（Ｅ）のようなはずれ表示結果となるときには、（Ｃ），（Ｄ）に示すように第１キャラクタ７１が敗北する画像が表示された後、表示結果が導出表示され、第１演出態様での演出が終了される。このような（Ｃ），（Ｄ）の画像は、大当り遊技状態に制御されないことを認識させる演出をするための画像であり、このような画像が表示されたときに、遊技者は、表示結果がはずれとなると認識することができる。一方、（Ｇ）のような大当り表示結果となるときには、（Ｆ）に示すように第１キャラクタ７１が勝利する第１演出態様での画像が表示された後、表示結果が導出表示され、第１演出態様での演出が終了される。このような（Ｆ）の画像は、大当り遊技状態に制御されることを認識させる演出をするための画像であり、このような画像が表示されたときに、遊技者は、表示結果が大当りとなると認識することができる。」（段落【０２３１】）と記載されているから、刊行物２には、第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなると認識することができる第１キャラクタ７１が勝利する画像を表示する第１スーパーリーチの演出が記載されているといえる。
　また、刊行物２には、「次に、図１７および図１８を参照して、第２スーパーリーチを説明する。第２スーパーリーチにおいては、（Ａ）に示すようなリーチ状態が発生した後、（Ｂ）〜（Ｄ）に示すような第１キャラクタ７１と第２キャラクタ７２とが武器を持って対戦する画像を表示する第１演出態様での演出が行なわれる。」（段落【０２３２】）、「そして、（Ｋ）のようなはずれ表示結果となるときには、（Ｉ），（Ｊ）に示すように第１キャラクタ７１が敗北する画像が表示された後、表示結果が導出表示され、第３演出態様での演出が終了される。このような（Ｉ），（Ｊ）の画像は、大当り遊技状態に制御されないことを認識させる演出をするための画像であり、このような画像が表示されたときに、遊技者は、表示結果がはずれとなると認識することができる。一方、（Ｍ）のような大当り表示結果となるときには、（Ｌ）に示すように第１キャラクタ７１が勝利する第３演出態様での画像が表示された後、表示結果が導出表示され、第３演出態様での演出が終了される。このような（Ｌ）の画像は、大当り遊技状態に制御されることを認識させる演出をするための画像であり、このような画像が表示されたときに、遊技者は、表示結果が大当りとなると認識することができる。」（段落【０２３４】）と記載されているから、第２スーパーリーチの演出についても、上記第１スーパーリーチの演出と同様に、第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなると認識することができる第１キャラクタ７１が勝利する画像を表示する演出であるといえる。
　さらに、段落【００５４】には、「特定遊技状態（大当り遊技状態）においてソレノイド２１によって開閉板が開放状態に制御されることによって、入賞領域となる大入賞口が開放状態になる。」と記載されているから、遊技者が表示結果が大当りとなると認識する際には、大入賞口が開放状態になることも認識するといえる。
　以上より、刊行物２には、
第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなり、大入賞口が開放状態になると認識することができる第１キャラクタ７１が勝利する画像を表示する第１スーパーリーチ及び第２スーパーリーチの演出を実行可能である
（２−ｅ）段落【０２２９】には、「図１６は、第１スーパーリーチの演出の具体例を示す演出表示装置９の表示画面図である。図１７および図１８は、第２スーパーリーチの演出の具体例を示す演出表示装置９の表示画面図である。」と記載されている。
　また、図１７（Ｂ）には、右側下方にそれぞれ９１、９２、９３の符号が付与された「７」、「↓」、「７」の記号が表示され、中央部にそれぞれ７１、７２の符号が付与されたキャラクタの画像が表示される点が図示されている。そして、段落【０２３０】の「左図柄停止エリアでの左演出図柄９１と、右図柄停止エリアでの右演出図柄９３とが同じ図柄で停止し、中図柄停止エリアでの中演出図柄９２が変動中であるリーチ状態が発生した後・・・第１キャラクタ７１と第２キャラクタ７２とが武器を持って対戦する画像」との記載より、上記９１、９２、９３の符号が付与された「７」、「↓」、「７」の記号は、それぞれ、左演出図柄９１、中演出図柄９２、右演出図柄９３の変動表示を表し、上記７１、７２の符号が付与されたキャラクタは、それぞれ、第１キャラクタ７１、第２キャラクタ７２を表すことは、明らかである。
　また、第１スーパーリーチ及び第２スーパーリーチの演出の具体例を示す図１６〜１８のうち、第１キャラクタ７１または第２キャラクタ７２が表示されるもの（図１６（Ｂ）、（Ｃ）、（Ｄ）、（Ｆ）、図１７（Ｂ）、（Ｃ）、（Ｄ）、（Ｈ）、図１８（Ｉ）、（Ｊ）、（Ｌ））については、全て、第１キャラクタ７１または第２キャラクタ７２と共に、「７」、「↓」、「７」の記号が図示されている。
　以上より、刊行物２には、
第１スーパーリーチ及び第２スーパーリーチの演出における、第１キャラクタ７１及び第２キャラクタ７２の画像は、右側下方の左演出図柄９１、右演出図柄９３、中演出図柄９２の変動表示と共に表示される
（２−ｆ）刊行物２には、「第２スーパーリーチにおいては、（Ａ）に示すようなリーチ状態が発生した後、（Ｂ）〜（Ｄ）に示すような第１キャラクタ７１と第２キャラクタ７２とが武器を持って対戦する画像を表示する第１演出態様での演出が行なわれる。第２スーパーリーチでは、第１演出態様での演出において、表示結果がはずれとなると認識されるような（Ｄ）の画像が表示される。・・・第１キャラクタ７１と第２キャラクタ７２とが武器を持ってさらに対戦する画像を表示する第３演出態様での演出が行なわれる。」（段落【０２３２】）、「（Ｍ）のような大当り表示結果となるときには、（Ｌ）に示すように第１キャラクタ７１が勝利する第３演出態様での画像が表示された後、表示結果が導出表示され、第３演出態様での演出が終了される。」（段落【０２３４】）と記載されているから、刊行物２には、
第２スーパーリーチでは、第１キャラクタ７１と第２キャラクタ７２とが対戦する画像を表示した後、表示結果がはずれとなると認識されるような第１キャラクタ７１が敗北する画像を表示し、その後、第１キャラクタ７１と第２キャラクタ７２とが対戦する画像を表示した後、第１キャラクタ７１が勝利する画像を表示することが可能である
　上記（２−ａ）〜（２−ｃ）の記載事項及び（２−ｄ）〜（２−ｆ）の認定事項を総合すると、刊行物２には、次の事項が記載されていると認められる（以下「刊行物２記載の事項」という。）。  
「パチンコ遊技機１において、（段落【００１９】）、
　第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなり、大入賞口が開放状態になると認識することができる第１キャラクタ７１が勝利する画像を表示する第１スーパーリーチ及び第２スーパーリーチの演出を実行可能であり、（認定事項（２−ｄ））
　第１スーパーリーチ及び第２スーパーリーチの演出における、第１キャラクタ７１及び第２キャラクタ７２の画像は、右側下方の左演出図柄９１、右演出図柄９３、中演出図柄９２の変動表示と共に表示され、（認定事項（２−ｅ））
　第２スーパーリーチでは、第１キャラクタ７１と第２キャラクタ７２とが対戦する画像を表示した後、表示結果がはずれとなると認識されるような第１キャラクタ７１が敗北する画像を表示し、その後、第１キャラクタ７１と第２キャラクタ７２とが対戦する画像を表示した後、第１キャラクタ７１が勝利する画像を表示することが可能である点。（認定事項（２−ｆ））」
（３）対比
　本願補正発明と刊行物１発明とを対比する（下記の（ａ）〜（ｆ）は、刊行物１発明の構成ａ〜ｆに対応している。）。
（ａ）刊行物１発明の「第１特別図柄」及び「パチンコ遊技機１」は、それぞれ、本願補正発明の「特別図柄」及び「遊技機」に相当する。また、刊行物１発明の「第１特別図柄の変動表示と同期」した「演出表示装置９」による「演出図柄の変動表示」は、本願補正発明の「特別図柄に対応した可変表示」に相当する。
　したがって、刊行物１発明における「遊技球が第１始動口１３に入賞し、変動表示の開始を許容する開始条件が成立したことに基づいて第１特別図柄表示器８ａにおいて第１特別図柄を変動表示し、第１特別図柄の変動表示と同期して、演出表示装置９により演出図柄の変動表示を行うパチンコ遊技機１」は、本願補正発明における「特別図柄に対応した可変表示を行う遊技機」に相当する。
（ｂ）刊行物１発明の「第１特別図柄表示器８ａに大当り図柄が導出表示された」こと、「特別可変入賞球装置２０」及び「特別可変入賞球装置２０を開放状態に制御する」ことは、それぞれ、本願補正発明の「所定条件を満たしたこと」、「大入賞口」及び「大入賞口を遊技媒体が入賞しやすい状態に制御する」ことに相当する。
　したがって、刊行物１発明における「第１特別図柄表示器８ａに大当り図柄が導出表示されたときに、特別可変入賞球装置２０を開放状態に制御する主基板３１の機能」は、本願補正発明における「所定条件を満たしたことに関連して大入賞口を遊技媒体が入賞しやすい状態に制御する大入賞口制御手段」の機能に相当する。
（ｃ）刊行物１発明において、「演出図柄の変動表示」（可変表示）と同期する「第１特別図柄」の「変動表示」は、「遊技球が第１始動口１３に入賞し」かつ「変動表示の開始を許容する開始条件が成立したことに基づいて」行われるものであるから（構成ａ）、刊行物１発明において「第１始動口１３に遊技球が始動入賞した場合」の時点は、「第１始動口１３に遊技球が始動入賞した」が、「変動表示の開始を許容する開始条件が成立」していない時点、すなわち、可変表示が未だ開始されていない時点であるといえる。よって、刊行物１発明において、「第１始動口１３に遊技球が始動入賞した場合、先読み処理において大当り判定を行」うことは、「未だ開始されていない可変表示」について、「先読み処理において大当り判定を行」うことといえる。
　また、刊行物１発明において、「大当り判定を行」うことが、「第１特別図柄表示器８ａに大当り図柄が導出表示され」（構成ｂ）るか否かを判定していることは明らかであるから、刊行物１発明において「先読み処理において大当り判定を行」うことは、本願補正発明において「前記所定条件を満たすか否かを判定する」ことに相当する。
　したがって、刊行物１発明における「第１始動口１３に遊技球が始動入賞した場合、先読み処理において大当り判定を行い、第１始動入賞指定コマンドをセットする主基板３１の機能」は、本願補正発明における「未だ開始されていない可変表示が前記所定条件を満たすか否かを判定する判定手段」の機能に相当する。
（ｄ）刊行物１発明の「演出表示装置９による演出図柄の変動表示期間」は、本願補正発明の「可変表示中」に相当する。また、刊行物１発明の「大当りとなる信頼度が高いスーパーリーチ演出」と、本願発明の「前記大入賞口が遊技媒体が入賞しやすい状態に制御されるか否かを示唆し、可変表示の表示結果を導出する過程における態様とは異なる演出である所定演出」とは、大入賞口が遊技媒体が入賞しやすい状態に制御されるか否かに関連する所定の演出である点で共通する。
　したがって、刊行物１発明の「演出表示装置９による演出図柄の変動表示期間に、大当りとなる信頼度が高いスーパーリーチ演出を実行する演出制御基板８０の機能」と、本願補正発明の「前記大入賞口が遊技媒体が入賞しやすい状態に制御されるか否かを示唆し、可変表示の表示結果を導出する過程における態様とは異なる演出である所定演出を可変表示中に実行する所定演出実行手段」の機能とは、大入賞口が遊技媒体が入賞しやすい状態に制御されるか否かに関連する所定の演出を可変表示中に実行する機能である点で共通する。
（ｅ）刊行物１発明の「第１始動入賞指定コマンド」は、「第１始動口１３に遊技球が始動入賞した場合、先読み処理において大当り判定を行い」、「主基板３１」が「セットする」（構成ｃ）ものであるから、刊行物１発明において「第１始動入賞指定コマンドにもとづ」くことは、本願補正発明において「前記判定手段による判定にもとづ」くことに相当する。そして、刊行物１発明の「当該始動入賞に起因する変動表示開始前」及び「先読み演出」は、それぞれ、本願補正発明の「判定の対象となった可変表示が実行される前」及び「予告演出」に相当する。また、刊行物１発明の「先読み演出」は、「当該始動入賞に起因する変動表示開始前の段階から、複数回の変動表示に亘り連続して予告報知する」ものであるから、「演出表示装置９による演出図柄の変動表示期間に」実行される「大当りとなる信頼度が高いスーパーリーチ演出」（構成ｄ）とは異なる演出であることは、明らかである。
　したがって、刊行物１発明の「第１始動入賞指定コマンドにもとづいて、当該始動入賞に起因する変動表示開始前の段階から、複数回の変動表示に亘り連続して予告報知する先読み演出を実行するか否かを決定し、先読み演出を実行する演出制御基板８０の機能」と、本願補正発明の「前記判定手段による判定にもとづいて、判定の対象となった可変表示が実行される前に、前記所定演出とは異なる予告演出を実行する予告演出実行手段」の機能とは、判定手段による判定にもとづいて、判定の対象となった可変表示が実行される前に、所定の演出とは異なる予告演出を実行する機能である点で共通する。
（ｆ）刊行物１発明の「先読み演出」は、「ノーマルリーチまたはスーパーリーチとなるときのみ所定の振分率で実行され、非リーチとなるときには実行され」ないから、先読み演出が実行されたときは、非リーチとなるときを含む先読み演出が実行されないときに比べて、スーパーリーチ演出が実行される割合が高いことは明らかである。また、刊行物１発明において、「ノーマルリーチとなるものであってスーパーリーチとならない場合にも、先読み演出が実行されることがある」ことは、「スーパーリーチ」の演出が実行されない場合にも「先読み演出」を実行可能であることといえる。
　よって、刊行物１発明において、「先読み演出は、ノーマルリーチまたはスーパーリーチとなるときのみ所定の振分率で実行され、非リーチとなるときには実行されず、また、ノーマルリーチとなるものであってスーパーリーチとならない場合にも、先読み演出が実行されることがある」ことと、本願補正発明において「前記予告演出が実行されたときは、前記予告演出が実行されないときに比べて、前記所定演出が実行される割合が高く、前記所定演出が実行されない場合にも前記予告演出を実行可能であ」ることととは、予告演出が実行されたときは、予告演出が実行されないときに比べて、所定の演出が実行される割合が高く、所定の演出が実行されない場合にも予告演出を実行可能である点で共通する。
　以上、（ａ）〜（ｆ）の対比より、本願補正発明と刊行物１発明とは、
「Ａ　特別図柄に対応した可変表示を行う遊技機であって、
Ｂ　所定条件を満たしたことに関連して大入賞口を遊技媒体が入賞しやすい状態に制御する大入賞口制御手段と、
Ｃ　未だ開始されていない可変表示が前記所定条件を満たすか否かを判定する判定手段と、
Ｄ’前記大入賞口が遊技媒体が入賞しやすい状態に制御されるか否かに関連する所定の演出を可変表示中に実行する手段と、
Ｅ’前記判定手段による判定にもとづいて、判定の対象となった可変表示が実行される前に、前記所定の演出とは異なる予告演出を実行する手段とを備え、
Ｆ’前記予告演出が実行されたときは、前記予告演出が実行されないときに比べて、前記所定の演出が実行される割合が高く、前記所定の演出が実行されない場合にも前記予告演出を実行可能である、
　遊技機。」
である点で一致し、以下の点で相違する。
（相違点１）「所定演出」に関して、本願補正発明は、「前記大入賞口が遊技媒体が入賞しやすい状態に制御されるか否かを示唆し、可変表示の表示結果を導出する過程における態様とは異なる演出である所定演出」（構成Ｄ）であると特定され、さらに、「前記大入賞口が遊技媒体が入賞しやすい状態に制御されないことを示唆する前記所定演出を実行した後に前記大入賞口が遊技媒体が入賞しやすい状態に制御されることを示唆する前記所定演出を実行可能である」（構成Ｇ）と特定されているのに対し、刊行物１発明の「スーパーリーチ演出」は「前記大入賞口が遊技媒体が入賞しやすい状態に制御されるか否かを示唆し、可変表示の表示結果を導出する過程における態様とは異なる演出である」とは特定されておらず、また、「前記大入賞口が遊技媒体が入賞しやすい状態に制御されないことを示唆する前記所定演出を実行した後に前記大入賞口が遊技媒体が入賞しやすい状態に制御されることを示唆する前記所定演出を実行可能である」ことも特定されていない点。
（相違点２）刊行物１発明の「スーパーリーチ演出」は、「前記大入賞口が遊技媒体が入賞しやすい状態に制御されるか否かを示唆し、可変表示の表示結果を導出する過程における態様とは異なる演出である」（構成Ｄ）とは特定されておらず、「所定演出」とはいえないから、結果として、刊行物１発明は、「前記判定手段による判定にもとづいて、判定の対象となった可変表示が実行される前に、前記所定の演出とは異なる予告演出を実行する手段とを備え」（構成Ｅ）、「前記予告演出が実行されたときは、前記予告演出が実行されないときに比べて、前記所定の演出が実行される割合が高く、前記所定の演出が実行されない場合にも前記予告演出を実行可能である」（構成Ｆ）との構成を有しているとはいえない点。
（４）判断
　上記相違点１、２は、共に所定演出に関連するものであるから、併せて検討する。
　上記（２）（２−２）で示した通り、刊行物２には、次の事項（刊行物２記載の事項）が記載されていると認められる。
「パチンコ遊技機１において、
　第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなり、大入賞口が開放状態になると認識することができる第１キャラクタ７１が勝利する画像を表示する第１スーパーリーチ及び第２スーパーリーチの演出を実行可能であり、
　第１スーパーリーチ及び第２スーパーリーチの演出における、第１キャラクタ７１及び第２キャラクタ７２の画像は、右側下方の左演出図柄９１、右演出図柄９３、中演出図柄９２の変動表示と共に表示され、
　第２スーパーリーチでは、第１キャラクタ７１と第２キャラクタ７２とが対戦する画像を表示した後、表示結果がはずれとなると認識されるような第１キャラクタ７１が敗北する画像を表示し、その後、第１キャラクタ７１と第２キャラクタ７２とが対戦する画像を表示した後、第１キャラクタ７１が勝利する画像を表示することが可能である点。」
　刊行物２記載の事項の「第１スーパーリーチ及び第２スーパーリーチの演出」において、「遊技者が表示結果がはずれとなると認識することができる第１キャラクタ７１が敗北する画像」を表示することは、「前記大入賞口が遊技媒体が入賞しやすい状態に制御され」ないことを「示唆」することといえ、「遊技者が表示結果が大当りとなり、大入賞口が開放状態になると認識することができる第１キャラクタ７１が勝利する画像」を表示することは、「前記大入賞口が遊技媒体が入賞しやすい状態に制御される」ことを「示唆」することといえる。
　また、刊行物２記載の事項において、「右側下方の左演出図柄９１、右演出図柄９３、中演出図柄９２の変動表示」の態様は、本願補正発明の「可変表示の表示結果を導出する過程における態様」に対応するものといえる。そして、刊行物２記載の事項において、「右側下方の左演出図柄９１、右演出図柄９３、中演出図柄９２の変動表示と共に表示され」る「第１スーパーリーチ及び第２スーパーリーチの演出における、第１キャラクタ７１及び第２キャラクタ７２の画像」を用いた演出の態様は、「右側下方の左演出図柄９１、右演出図柄９３、中演出図柄９２の変動表示」の態様とは異なるものといえる。
　よって、刊行物２記載の事項の「第１スーパーリーチ及び第２スーパーリーチの演出」において、「右側下方の左演出図柄９１、右演出図柄９３、中演出図柄９２の変動表示と共に表示され」、「第１キャラクタ７１と第２キャラクタ７２とが対戦する画像を表示した後、遊技者が表示結果がはずれとなると認識することができる第１キャラクタ７１が敗北する画像、または、遊技者が表示結果が大当りとなり、大入賞口が開放状態になると認識することができる第１キャラクタ７１が勝利する画像を表示する」演出は、本願補正発明における「前記大入賞口が遊技媒体が入賞しやすい状態に制御されるか否かを示唆し、可変表示の表示結果を導出する過程における態様とは異なる演出である所定演出」に対応するものといえる。
　刊行物２記載の事項において、「第２スーパーリーチ」で、「第１キャラクタ７１と第２キャラクタ７２とが対戦する画像を表示した後、表示結果がはずれとなると認識されるような第１キャラクタ７１が敗北する画像を表示」することは、本願補正発明の「前記大入賞口が遊技媒体が入賞しやすい状態に制御されないことを示唆する前記所定演出を実行」することに対応し、刊行物２記載の事項において「その後、第１キャラクタ７１と第２キャラクタ７２とが対戦する画像を表示した後、第１キャラクタ７１が勝利する画像を表示すること」は、本願補正発明の「前記大入賞口が遊技媒体が入賞しやすい状態に制御されることを示唆する前記所定演出を実行」することに対応するといえる。
　以上より、刊行物２記載の事項における「第１スーパーリーチ及び第２スーパーリーチの演出」は、本願補正発明の用語を用いて表現すると、大入賞口が遊技媒体が入賞しやすい状態に制御されるか否かを示唆し、可変表示の表示結果を導出する過程における態様とは異なる演出である所定演出を実行し、また、大入賞口が遊技媒体が入賞しやすい状態に制御されないことを示唆する所定演出を実行した後に大入賞口が遊技媒体が入賞しやすい状態に制御されることを示唆する所定演出を実行可能であるものといえる。
　そして、刊行物１発明と刊行物２記載の事項とは、遊技機において、スーパーリーチの演出を実行する点で共通し、また、スーパーリーチにより興趣を向上させるとの課題で共通するものであることも明らかであるから、刊行物１発明において、演出効果を一層高めて興趣をさらに向上させるために刊行物２記載の事項を適用し、「スーパーリーチ」において、大入賞口が遊技媒体が入賞しやすい状態に制御されるか否かを示唆し、可変表示の表示結果を導出する過程における態様とは異なる演出である所定演出を実行し、また、大入賞口が遊技媒体が入賞しやすい状態に制御されないことを示唆する所定演出を実行した後に大入賞口が遊技媒体が入賞しやすい状態に制御されることを示唆する所定演出を実行可能とすることで、上記相違点１、２に係る本願補正発明の構成とすることは、当業者が容易に想到し得たことである。
　また、本願補正発明の効果は、刊行物１発明及び刊行物２記載の事項から予測される範囲内のものにすぎず、格別なものではない。
（５）請求人の主張について
　請求人は、平成２９年１２月２１日付けの意見書の【意見の内容】、「３．本願発明と引用発明との対比」において、「また、刊行物２には、キャラクタが登場する「第１スーパーリーチ演出」、「第２スーパーリーチ演出」について記載されておりますが、これらの演出も飾り図柄の変動状態がリーチ状態である場合に実行される演出であることから、刊行物２も同様に、本願発明の「所定演出」について開示も示唆もないのは明らかです。
　以上述べましたように、刊行物１、２の何れにも、本願発明の「所定演出」について開示も示唆もない以上、当業者であっても刊行物１、２の記載から本願発明に想到することはできません。よって、本願発明は進歩性を有しております。」との主張をしている。
　しかしながら、上記（４）で示したとおり、刊行物２記載の事項において、「第１キャラクタ７１及び第２キャラクタ７２の画像」は「左演出図柄９１、右演出図柄９３、中演出図柄９２」とは別に表示されるものであるから、「第１キャラクタ７１及び第２キャラクタ７２の画像」を用いた演出は可変表示の表示結果を導出する過程における態様とは異なる演出であるといえる。よって、請求人の上記主張は採用することができない。
（６）まとめ
　以上のように、本願補正発明は、当業者が刊行物１発明及び刊行物２記載の事項に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２９年９月２１日付けの手続補正書により補正された特許請求の範囲に記載されたとおりのものであり、その請求項１に係る発明（以下「本願発明」という。）は次のとおりである（Ａ〜Ｇは、分説するために当審にて付した。）。
「【請求項１】
Ａ　特別図柄に対応した可変表示を行う遊技機であって、
Ｂ　所定条件を満たしたことに関連して大入賞口を遊技媒体が入賞しやすい状態に制御する大入賞口制御手段と、
Ｃ　未だ開始されていない可変表示が前記所定条件を満たすか否かを判定する判定手段と、
Ｄ”前記大入賞口が遊技媒体が入賞しやすい状態に制御されるか否かを示唆する所定演出を可変表示中に実行する所定演出実行手段と、
Ｅ　前記判定手段による判定にもとづいて、判定の対象となった可変表示が実行される前に、前記所定演出とは異なる予告演出を実行する予告演出実行手段とを備え、
Ｆ　前記予告演出が実行されたときは、前記予告演出が実行されないときに比べて、前記所定演出が実行される割合が高く、前記所定演出が実行されない場合にも前記予告演出を実行可能であり、
Ｇ　前記大入賞口が遊技媒体が入賞しやすい状態に制御されないことを示唆する前記所定演出を実行した後に前記大入賞口が遊技媒体が入賞しやすい状態に制御されることを示唆する前記所定演出を実行可能である、
　ことを特徴とする遊技機。」
２　拒絶理由通知の概要
　平成２９年１０月２６日付け拒絶理由通知は、本願発明は、当業者が特開２０１１−１０３９６８号公報（刊行物１）に記載された発明及び特開２０１１−２１８０４５号公報（刊行物２）に記載された事項に基づいて容易に発明をすることができたものであるから、特許法第２９条第２項の規定により特許を受けることができないというものである。
３　刊行物
　刊行物１及びその記載事項並びに刊行物１発明、刊行物２及びその記載事項並びに刊行物２記載の事項は、それぞれ、上記「第２　３（２）（２−１）」、「第２　３（２）（２−２）」に記載したとおりである。
４　対比・判断
　本願発明は、本願補正発明を特定するために必要な事項である「所定演出」に関して、「可変表示の表示結果を導出する過程における態様とは異なる演出である」との限定を省いたものである。
　そうすると、本願発明と刊行物１発明との相違点は、上記「第２　３（３）」に示した相違点１、２の一部のみであり、上記「第２　３（４）」に示したとおり、刊行物１発明において、刊行物２記載の事項を適用し、当該相違点に係る本願発明の構成とすることは、当業者が容易に想到し得たことである。
　したがって、本願発明は当業者が刊行物１発明及び刊行物２記載の事項に基づいて容易に発明をすることができたものである。
５　むすび
　以上のとおりであるから、本願発明は、特許法第２９条第２項の規定により特許を受けることができない。
　したがって、本願は、拒絶されるべきものである。
　よって、結論のとおり審決する。